【手続補正書】
【提出日】平成20年2月4日(2008.2.4)
【手続補正１】
【補正対象書類名】明細書
【補正対象項目名】全文
【補正方法】変更
【補正の内容】
【書類名】  明細書
【発明の名称】  再生可能なデータをデータ担体上に書き込む方法
【特許請求の範囲】
【請求項１】  再生可能なデータをデータ担体上に書き込む方法において、データ担体（１２）に書き込むべきデータを電子的な手段でデータの生じた一方の場所（１８）からこのデータをデータ担体（１２）に書き込む他方の場所（８）に移すことを特徴とする方法。
【請求項２】  データをｅメールで移すことを特徴とする請求項１に記載の方法。
【請求項３】  データを第一ＥＤＶ装置（２）の記憶器に取り込み、この第一ＥＤＶ装置はデータ遠隔伝送装置（５，６，７）によりデータを取り込む第二ＥＤＶ装置（１）に出力し、この第二ＥＤＶ装置からデータをデータ担体（１２）に移すことを特徴とする請求項１に記載の方法。
【請求項４】  データをデータ担体（１２）に取り込む前にデータを既存のデータ量の中で分類することを特徴とする請求項１〜３の何れか１項に記載の方法。
【請求項５】  第二ＥＤＶ装置（１）で受信した音声データを既存の音声データに同期させることを特徴とする請求項４に記載の方法。
【請求項６】  第一音楽作品を音声データに変換し、第二音楽作品の伝送された音声データを第一音楽作品の音声データに同期させることを特徴とする請求項４または５に記載の方法。
【請求項７】  第一音楽作品の音声データは歌手（２０）により生成され、その歌は第二音楽作品と同期していることを特徴とする請求項６に記載の方法。
【請求項８】  歌の音声データはそれを取り込む時に第一音楽作品の音声データに合わせてあることを特徴とする請求項７に記載の方法。
【請求項９】  第一音楽作品の音声データを歌手（２０）に送り、音声データを第一音楽作品に変換し、歌手（２０）の歌を第一音楽作品に合わし、対応する音声データに変換され、これ等の音声データは第二音楽作品のデータと同期させるために第二ＥＤＶ装置（１）に出力されることを特徴とする請求項７または８に記載の方法。
【請求項１０】  第二音楽作品のデータに同期させた第一音楽作品のデータをデータ担体（１２）に焼き付けることを特徴とする請求項３〜９の何れか１項に記載の方法。
【請求項１１】  第二音楽作品のデータに同期させた第一音楽作品のデータを共通に扱えるサーバーに記憶することを特徴とする請求項３〜９の何れか１項に記載の方法。
【請求項１２】  データをデータ担体（１２）の多数の異なるトラック（１３，１４，１５）の一つに記憶することを特徴とする請求項１〜１１の何れか１項に記載の方法。
【請求項１３】  同期されたデータが記憶されていないデータ担体（１２）の他のトラック（１３，１４）には第一音楽作品の他のバージョンが記憶されていることを特徴とする請求項１２に記載の方法。
【請求項１４】  前記他のトラックの一方（１３）には第一音楽作品の編曲していないバージョンが、また前記他のトラックの他方（１４）には第一音楽作品の編曲したバージョンが記憶されていることを特徴とする請求項１２または１３に記載の方法。
【請求項１５】  第一音楽作品の音声データには受信機（２０）に送信する時に擾乱雑音を重畳することを特徴とする請求項９〜１４の何れか１項に記載の方法。
【請求項１６】  第一音楽作品の音声データには擾乱雑音としてバックグランドミュージックを弱めた演奏者の歌に重ねることを特徴とする請求項１５に記載の方法。
【請求項１７】  データ担体（１２）には複製保護が設けてあることを特徴とする請求項１〜１６の何れか１項に記載の方法。
【請求項１８】  歌手（２０）の歌をデータに変換し、第二音楽作品のデータと同期させる前にこの歌を練習するため何度も繰り返すことを特徴とする請求項７〜１７の何れか１項に記載の方法。
【請求項１９】  歌手（２０）には仮想的なテープレコーダ（２１）が画面（２２）上に投影され、このテープレコーダは例えば巻き進め、巻き戻し、試聴および音声を重ねて録音するような実際のテープレコーダの通常の録音機能を保有していることを特徴とする請求項１８に記載の方法。
【請求項２０】  データ担体（１２）に書き込むべきデータを文字でコメントするため電子的な手段で印刷可能なデータを他方の場所（８）に移すことを特徴とする請求項１〜１９の何れか１項に記載の方法。
【請求項２１】  印刷可能なデータを芸術的な包装に移すことを特徴とする請求項２０に記載の方法。
【請求項２２】  印刷可能なデータをディスクのカバーに印刷することを特徴とする請求項２０または２１に記載の方法。
【発明の詳細な説明】
【０００１】
【発明の属する技術分野】
この発明は、再生可能なデータをデータ担体上に書き込む方法に関する。
【０００２】
【従来の技術】
再生可能なデータをデータ担体に種々の方法で書き込むことができる。例えばテープレコーダやコンピュータでも書き込むことができる。ハードディスクに記憶するデータを書込可能なＣＤに移し、このＣＤにデータを焼き付ける。
【０００３】
多くの場合、データ担体、例えばＣＤへの移し換えは、データを特別な方法でデータ担体に記憶させ、例えばＣＤの特別な個所に記憶させたい点で困難にする。その外、ＣＤに入れるデータをＣＤの選択された場所毎に焼き付ける必要がある。これにはスタジオだけでしばしば利用する補助手段が必要である。
【０００４】
【発明が解決しようとする課題】
それ故、この発明の課題は、特定な場所で録音されたデータをデータ担体上の他の個所に書き込むことにある。
【０００５】
【課題を解決するための手段】
上記の課題は、この発明により、再生可能なデータをデータ担体上に書き込む方法にあって、データ担体に書き込むべきデータを電子的な手段でデータの生じた一方の場所からこのデータをデータ担体に書き込む他方の場所に移すことによって解決されている。
【０００６】
この発明による他の好ましい実施態様は従属請求項に記載されている。
（１）本発明の第１の構成によれば、再生可能なデータをデータ担体上に書き込む方法において、データ担体（１２）に書き込むべきデータを電子的な手段でデータの生じた一方の場所（１８）からこのデータをデータ担体（１２）に書き込む他方の場所（８）に移すことを特徴とする方法が得られる。
（２）本発明の第２の構成によれば、データをｅメールで移すことを特徴とする（１）に記載の方法が得られる。
（３）本発明の第３の構成によれば、データを第一ＥＤＶ装置（２）の記憶器に取り込み、この第一ＥＤＶ装置はデータ遠隔伝送装置（５，６，７）によりデータを取り込む第二ＥＤＶ装置（１）に出力し、この第二ＥＤＶ装置からデータをデータ担体（１２）に移すことを特徴とする（１）に記載の方法が得られる。
（４）本発明の第４の構成によれば、データをデータ担体（１２）に取り込む前にデータを既存のデータ量の中で分類することを特徴とする（１）〜（３）の何れか１つに記載の方法が得られる。
（５）本発明の第５の構成によれば、第二ＥＤＶ装置（１）で受信した音声データを既存の音声データに同期させることを特徴とする（４）に記載の方法が得られる。
（６）本発明の第６の構成によれば、第一音楽作品を音声データに変換し、第二音楽作品の伝送された音声データを第一音楽作品の音声データに同期させることを特徴とする（４）または（５）に記載の方法が得られる。
（７）本発明の第７の構成によれば、第一音楽作品の音声データは歌手（２０）により生成され、その歌は第二音楽作品と同期していることを特徴とする（６）に記載の方法が得られる。
（８）本発明の第８の構成によれば、歌の音声データはそれを取り込む時に第一音楽作品の音声データに合わせてあることを特徴とする（７）に記載の方法が得られる。
（９）本発明の第９の構成によれば、第一音楽作品の音声データを歌手（２０）に送り、音声データを第一音楽作品に変換し、歌手（２０）の歌を第一音楽作品に合わし、対応する音声データに変換され、これ等の音声データは第二音楽作品のデータと同期させるために第二ＥＤＶ装置（１）に出力されることを特徴とする（７）または（８）に記載の方法が得られる。
（１０）本発明の第１０の構成によれば、第二音楽作品のデータに同期させた第一音楽作品のデータをデータ担体（１２）に焼き付けることを特徴とする（３）〜（９）の何れか１つに記載の方法が得られる。
（１１）本発明の第１１の構成によれば、第二音楽作品のデータに同期させた第一音楽作品のデータを共通に扱えるサーバーに記憶することを特徴とする（３）〜（９）の何れか１つに記載の方法が得られる。
（１２）本発明の第１２の構成によれば、データをデータ担体（１２）の多数の異なるトラック（１３，１４，１５）の一つに記憶することを特徴とする（１）〜（１１）の何れか１つに記載の方法が得られる。
（１３）本発明の第１３の構成によれば、同期されたデータが記憶されていないデータ担体（１２）の他のトラック（１３，１４）には第一音楽作品の他のバージョンが記憶されていることを特徴とする（１２）に記載の方法が得られる。
（１４）本発明の第１４の構成によれば、前記他のトラックの一方（１３）には第一音楽作品の編曲していないバージョンが、また前記他のトラックの他方（１４）には第一音楽作品の編曲したバージョンが記憶されていることを特徴とする（１２）または（１３）に記載の方法が得られる。
（１５）本発明の第１５の構成によれば、第一音楽作品の音声データには受信機（２０）に送信する時に擾乱雑音を重畳することを特徴とする（９）〜（１４）の何れか１つに記載の方法が得られる。
（１６）本発明の第１６の構成によれば、  第一音楽作品の音声データには擾乱雑音としてバックグランドミュージックを弱めた演奏者の歌に重ねることを特徴とする（１５）に記載の方法が得られる。
（１７）本発明の第１７の構成によれば、データ担体（１２）には複製保護が設けてあることを特徴とする（１）〜（１６）の何れか１つに記載の方法が得られる。
（１８）本発明の第１８の構成によれば、歌手（２０）の歌をデータに変換し、第二音楽作品のデータと同期させる前にこの歌を練習するため何度も繰り返すことを特徴とする（７）〜（１７）の何れか１つに記載の方法が得られる。
（１９）本発明の第１９の構成によれば、歌手（２０）には仮想的なテープレコーダ（２１）が画面（２２）上に投影され、このテープレコーダは例えば巻き進め、巻き戻し、試聴および音声を重ねて録音するような実際のテープレコーダの通常の録音機能を保有していることを特徴とする（１８）に記載の方法が得られる。
（２０）本発明の第２０の構成によれば、データ担体（１２）に書き込むべきデータを文字でコメントするため電子的な手段で印刷可能なデータを他方の場所（８）に移すことを特徴とする（１）〜（１９）の何れか１つに記載の方法が得られる。
（２１）本発明の第２１の構成によれば、印刷可能なデータを芸術的な包装に移すことを特徴とする（２０）に記載の方法が得られる。
（２２）本発明の第２２の構成によれば、印刷可能なデータをディスクのカバーに印刷することを特徴とする（２０）または（２１）に記載の方法が得られる。
【０００７】
【発明の実施の形態】
この方法により、データを早く、丁寧に、しかも高品位に一定の場所に移すことができる。そこではデータを専門的な方法でデータ担体に書き込み、このデータ担体に焼き付けることができる。こうしてデータの喪失を懸念する必要がなくなる。それ故、この方法には大きな伝送速度に関するだけでなく、高い伝送品質に関しても、周知の方法、例えば録音されたデータ担体、例えば録音媒体の送付よりも著しい利点がある。
【０００８】
この発明の好ましい実施態様によれば、データをデータ担体に取り込む前にデータが既存の大量データの中で整理される。こうして、送るデータだけ大きくなったデータ量をデータ担体に納めることができる。
【０００９】
この発明の他の好ましい実施態様によれば、第一音楽作品を音声データに変換し、送られた第二音楽作品の音声データを第一音楽作品の音声データに同期させる。こうして編曲された音楽作品が生じ、この作品を非常に良好な品質でデータ担体に移すことができる。
【００１０】
この発明の他の好ましい実施態様によれば、第一音楽作品の音声データを歌手が発生させ、その発声を第二音楽作品に同期させる。こうして、共演する歌手に見て非常に個人的な音譜のある音楽作品が編曲される。
【００１１】
この発明の他の好ましい実施態様によれば、第一音楽作品の音声データを歌手に送り、これ等の音声データを第一音楽作品に変換し、歌手の歌を第一音楽作品に合わせ、対応する音声データに変換する。これ等の音声データは第二音楽作品のデータと同期をとるために第二ＥＤＶ（電子データ処理）装置に出力される。こうして、音楽作品の編曲が場所の状況に無関係に可能である。一方で歌手に特に興味のある音楽作品をその歌手に提供でき、他方で歌手により編曲された音楽作品をこの目的専門の企業に送り返すことができ、これ等の音楽作品をデータ担体に専門的な方法で書き込みその中に焼き付ける。
【００１２】
この発明の他の好ましい実施態様によれば、データをデータ担体の異なる三つのトラックの一つに記憶する。こうして、他の二つのトラックを他の方法で利用でき、例えば第三のトラックに記憶されたデータと関連させて利用できる。
【００１３】
この発明の他の好ましい実施態様によれば、同期していないデータを記憶している他の二つのトラックに第一音楽作品の他のバージョンが記憶される。これにより、音楽作品の多数のバージョンを直接順番に聞くことができ、互いに比較できる可能性が提供される。
【００１４】
この発明の他の好ましい実施態様によれば、他の二つのトラックにそれぞれ第一音楽作品の編曲していないバージョン（版）と編曲したバージョン（版）を記憶する。データ担体をこのように利用して同じ音楽作品の三つのバージョン、つまり最初の版、編曲した版、および同期させた版を互いに比較できる。この比較により個々のバージョンが互いにどの程度ずれているのか、またそれ等のずれが個々の聞き手の好みに合っているかあるいは聞き手に不利に作用するかに関して考察することができる。
【００１５】
この発明の他の好ましい実施態様によれば、第一音楽作品の音声データに騒音としてバックグランドミュージックとして弱くした演奏者の歌が重なる。こうして、音楽作品を無料で録音することが防止される。
【００１６】
この発明の他の好ましい実施態様によれば、歌手には実際のテープレコーダの通常の録音機能に利用される仮想上のテープレコーダがその画面上に投影される。こうして、歌手の歌うべき音楽作品の練習を容易にする。歌の特定な部分が後で気に入らない場合には、通常のテープレコーダのように巻き進めたり巻き戻したり、試聴し修正することができる。
【００１７】
この発明の他の好ましい実施態様によれば、データ担体上に書き込むべきデータに対して文字でコメントするため印刷可能なデータをデータ書込個所に電子的に移すことができる。こうして、データ遠隔伝送を印刷可能なデータの伝送にも利用できる。
【００１８】
この発明の他の好ましい実施態様によれば、印刷可能なデータをディスクのカバーに印刷する。こうして、カバーにも非常に個人的な音譜を与えることができ、これ等の音譜はカバーに装填されたディスクに合わせてあり、個人的に形成されている。
【００１９】
【実施例】
この発明の方法を実施する装置の好適な実施態様に係る実施例を説明する。以下の詳しい説明と添付図面により、この発明の詳細を明らかにする。
【００２０】
この発明による方法はそれぞれ一つの駆動装置（３，４）のある少なくとも二つのＥＤＶ（電子データ処理）装置（１，２）で効果的に実施される。両方のＥＤＶ装置（１，２）にはそれぞれインターネット（７）へのアクセス個所（５，６）がある。ＥＤＶ装置（１）は駆動部（８）に付属し、この駆動部は取り分けデータ担体（９）上の音楽作品の大きな収集部（１０）を利用でき、これを著作権法で活用する。
【００２１】
更に、駆動部（８）には焼付装置（１１）があり、この装置の中ではデータが移されているデータ担体（１２）を焼き付けることができる。これ等のデータ担体（１２）は例えば一つまたはそれ以上のトラック（１３，１４，１５）上にデータを設けていて、次に焼付装置（１１）内で焼付が行われる。
【００２２】
ＥＤＶ装置（２）は、例えば歌手としてマイクロフォン（１６）を介して音声データを給電線（１７）によりこの装置（２）に供給する利用者（２０）に属する。その場合、利用者はインターネット（７）を介してその利用者にアクセスできる音楽作品に従い、この音楽作品はＥＤＶ装置（２）を用いてインターネット（７）から利用者を呼び出し、そのスタジオ（１８）で拡声器（１９）により演奏できる。
【００２３】
利用者（２０）は、音楽作品のボーカル部分をマイクロフォン（１６）に吹き込んで、通常ボーカル部分のあるこの音楽作品を演奏する。その場合、利用者は画面（２２）上で見ることのできる仮想的なテープレコーダ（２１）により歌を録音し検査してその人の声を練習する。この仮想的なテープレコーダ（２１）には磁気テープ（２３）があり、この磁気テープをスイッチ（２４）で実際のテープレコーダのように操作できる。つまり、録音機能（２５），再生機能（２６），消去機能（２７），進行・停止機能（２８）を備えたテープレコーダのように操作できる。利用者（２０）がスタジオ（１８）でマイクロフォン（１６）に吹き込む間、同時にあるいは後の時点でその歌をスピーカー（１９）により呼び出し検査することができる。利用者が歌に改善が必要と見なすなら、テープレコーダ（２１）上で自分に気に入らない個所を探し、それを新たに歌う。その場合、ＥＤＶ装置から呼び出した全音楽作品のバージョンを導くことができ、その良い表現に関して倣うか、あるいはこの音楽作品に特別な音譜を与えることを探す。
【００２４】
最後に音声担体（１２）に録音できる高品質が歌にあるかという歌の検査をしたいなら、利用者（２０）はその人のＥＤＶ装置をインターネット（７）を介して駆動部（８）のＥＤＶ装置（１）に接続し、この装置へデータの組を移す。このデータの組は駆動部のＥＤＶ装置（１）でインターネット（７）から受け取った利用者（２）の歌を既存の音楽作品と同期させ、同期させた音楽作品で例えばデータ担体（１２）のトラック（１５）に書き込む。トラック（１３と１４）には、例えば音楽作品の他の演奏を録音し、例えばトラック（１３）には最初の演奏のバージョンを、またトラック（１４）には他の演奏による音楽作品の編曲が録音される。
【００２５】
このように書き込まれたデータ担体（１２）を今度は焼付装置（１１）に入れ、そこで焼付を行う。これは例えば利用者（２０）に送るため利用され、焼き付けたデータ担体（１２）を更に利用することを決定する。例えばこのデータ担体を友達や知人に送る。
【００２６】
音楽作品をボーカル部分なしで望ましくない使用に供することを防止するため、オリジナルのボーカル部分を音楽作品から完全に取り出すのではなく、バックグランドメロディーとして音楽作品の中に残しておく。こうして、対応する音楽作品の不正使用を防止できる。
【００２７】
更に、データ担体（１２）には望ましくないこのデータ担体（１２）にある内容の借用を防止する複製保護が設けても良い。データをｅメールによるインターネット（７）で転送する代わりに、他の転送経路も選択できる。例えばこの目的のために記入されている固有なプログラムにより選択できる。このプログラムによりデータを両方のＥＤＶ装置（１，２）の間で直接電話回線により交換することができる。
【００２８】
利用者（２０）がデータ担体（１２）にマイクロフォン（１６）により書き込むボーカル部分の代わりに、他の音声データもＥＤＶ装置（１）から伝送される駆動部（８）の音声データと組み合わせることができる。その場合、利用者（２０）が楽器部分をＥＤＶ装置（１）から取り出す音楽部分と組み合わせることが考えられる。この楽器部分を利用者（２０）自身が提供し演奏し始めるか、あるいは他のデータ担体によりＥＤＶ装置（１）から取り出した音楽作品と組み合わせるために選択される。
【００２９】
その場合、利用者（２０）は演奏すべき音楽作品がＥＤＶ装置（１）から送られて来ることを助けにもしていない。彼はこれを他の方法で探し、彼のＥＤＶ装置に持ち込み、そこで選択した音声データと組み合わせる。
【００３０】
演奏する音楽作品をデータ担体（１２）に移し換える代わりに、この演奏される音楽作品を図示していないサーバーに入力し、このサーバーから組み合わせた興味のある音楽作品を呼び出すことも考えられる。
【００３１】
三つのトラック（１３，１４，１５）の代わりに、それ以外の本数のトラックをデータ担体（１２）に設けることも考えられる。各トラック（１３，１４，１５）には最初の音楽作品が他の演奏とは異なる様式でそれぞれ録音できる。
【００３２】
こうして得られたデータ担体（１２）をラジオまたはテレビ放送の範囲内でこれが最良の演奏であると命名する目的で多かれ少なかれ理性的な聴衆に親しみやすくすることができる。こうして、聴衆の音楽感覚を教えるという意図をもって音楽作品の演奏の考えを多くの聴衆に持ち込む刺激も提供できる。
【００３３】
音声データを送る外に、印刷可能なデータをデータ遠隔伝送により駆動部（８）に送ることもできる。このため紙（２９），例え利用者（３３）の文字（３１）または図形（３２）を備えたデータ担体（１２）用のカバー（３０）が用意されている。しかし、記入されたこの紙（２９）はデータ担体（１２）に書き込まれた音楽作品を説明するためにも使用され、同時にこれと一緒に送付される。
【００３４】
記入されたこの紙（２９）をスキャナー（３４）に入れ、このスキャナーは文字や図形を読み取りデータに変換する。これ等のデータはスキャナー（３４）をＥＤＶ装置（２）に接続する供電線（３５）を介してこのＥＤＶ装置（２）に供給される。その場合、例えば供電線（１７，３５）は一つのバス導線にされている。
【００３５】
次いで、ＥＤＶ装置（２）からこれ等のデータをインターネット（７）を介してＥＤＶ装置（１）に伝送する。このＥＤＶ装置（１）にはプリンター導線（３７）を介してプリンター（３６）が接続している。このプリンター（３６）の対応する申し込み開口（３８）に印刷すべきカバー（３９）を装填する。ＥＤＶ装置（１）によりプリンター（３６）を駆動するとカバー（３９）はこのプリンター（３６）の中に引き込まれ、そこでこのカバーに文字（３１）と図形（３２）が印刷される。
【００３６】
【発明の効果】
以上、説明したように、この発明による方法により、両方の場所の間に電子的な手段、例えば、インターネット（７）を介在させると、一方の場所で録音されたデータをデータ担体上の他の個所（他方の場所）に簡単にしかも確実に書き込むことができる。
【図面の簡単な説明】
【図１】  コンピュータと相互接続された、この発明の方法を実施するシステムの構成図である。
【図２】  データ担体の構成の平面図である。
【図３】  カバーの構成の平面図である。
【符号の説明】
１，２            ＥＤＶ装置（電子データ処理装置）
３，４            駆動装置
５，６            ＥＤＶ装置のアクセス個所
７                インターネット
８                駆動部（一方の場所）
９                データ担体
１０                大きな収集部
１１                焼付装置
１２                データ担体
１３，１４，１５    トラック
１６                マイクロフォン
１７，３５          給電線
１８                スタジオ（他方の場所）
１９                スピーカー
２０                利用者（歌手）
２１                テープレコーダ
２２                画面
２３                磁気テープ
２４                スイッチ
２５                録音機能
２６                再生機能
２７                消去機能
２８                開始停止機能
２９                紙
３０                カバー
３１                文字
３２                図形
３３                利用者
３４                スキャナー
３６                プリンター
３７                プリンター導線
３８                申し込み開口
３９                カバー